(57)【要約】新規の広告媒体を供給することを目的とする。上着（１）では、正面に二つの胸ポケット（１０），（１１）があり、これらの胸ポケット（１０），（１１）に広告表示部（２），（３）が設けられている。上着（１）は、半袖シャツ状であり、袖の部分の上面部分に広告表示部（４），（５）が設けられている。さらに本実施形態の上着（１）では、後身頃の部位にも広告表示部（６）が設けられている。広告表示部（６）には、商品やイベント等の紹介が表示されている。各広告表示部は、上着（１）に直接的に広告を印刷したり、刺しゅうしたものであってもよいが、広告内容を変更できるように被服用広告表示部材を着脱可能とすることが望ましい。
2003028496.tif 000002
【特許請求の範囲】
【請求項１】
一部に広告取付部が設けられ、当該広告取付部に広告を表示した被服用広告表示部材が着脱可能に取り付けられており、広告取付部には、収納部が着脱可能に取り付けられ、前記収納部には被服用広告表示部材が収納され、前記収納部に収納された被服用広告表示部材が外部から見えることを特徴とする被服。
【請求項２】
１つの広告取付部に複数の収納部が取り付けられて、広告取付部の空間を埋めることができることを特徴とする請求項１に記載の被服。
【請求項３】
一部に広告取付部が設けられ、当該広告取付部に広告を表示した被服用広告表示部材が着脱可能に取り付けられており、広告取付部には、表面に表示用開口部が設けられた収納部が取り付けられており、当該収納部は被服の表面にあって被服用広告表示部材が収納されていることを特徴とする被服。
【請求項４】
前記収納部の上部には被服用広告表示部材を出し入れすることが可能な出入れ用開口が設けられ、前記出入れ用開口には開閉部材が設けられて、前記開閉部材を閉じると、収納部に収納されている被服用広告表示部材が保持されることを特徴とする請求項１乃至３のいずれかに記載の被服。
【請求項５】
一部に広告取付部が設けられ、当該広告取付部に広告を表示した被服用広告表示部材が着脱可能に取り付けられており、広告取付部には、収納部が取り付けられ、前記収納部は２重構造であって、第１の空間と第２の空間が設けられ、前記被服用広告表示部材は第１の空間に収納されており、第１の空間収納された被服用広告表示部材が外部から見えることを特徴とする被服。
【請求項６】
連通開口が設けられ、前記連通開口は前記第１の空間と前記第２の空間との間を連通させることを特徴とする請求項５に記載の被服。
【請求項７】
前記収納部は、布により形成されるものであり、前記布は開口を有する第１の布と、開口を有する第２の布により構成され、前記開口を合わせて開口周辺を縫製し、前記第１の布の開口と第２の布の開口が重ね合わせた状態で第１の布と第２の布とを縫い合わせて前記表示用開口部を形成し、前記第１の空間は第１の布を折って袋状として形成されることを特徴とする請求項５又は６に記載の被服。
【請求項８】
前記第１の布の開口及び前記第２の布の開口には、折り返し片が設けられており、前記第１の布の開口と第２の布は開口とを合わせて前記開口周辺を縫製する際に、前記折り返し片も合わせて縫製されていることを特徴とする請求項７に記載の被服。
【請求項９】
被服用広告表示部材はディスプレイによって構成されていることを特徴とする請求項１乃至８のいずれかに記載の被服。
【請求項１０】
一部に広告取付部が設けられ、当該広告取付部に広告を表示した被服用広告表示部材が取り付けられており、前記被服用広告表示部材は、ディスプレイと、前記ディスプレイの表示面の周囲に設けられた縫い代を有しており、前記被服用広告表示部材は縫製によって取り付けられていることを特徴とする被服。
【請求項１１】
前記ディスプレイは、有機エレクトロルミネッセンスであることを特徴とする請求項９又は１０に記載の被服。
【請求項１２】
受信手段を有し、前記受信手段は別途設けられた発信手段から発信された情報を受信して、前記情報に基づいて所定の画をディスプレイに表示させることを特徴とする請求項９乃至１１のいずれかに記載の被服。
【請求項１３】
広告が表示されていると共に、被服に対して取付け可能であり、被服の一部と係合する係合部が設けられていることを特徴とする被服用広告表示部材。
【請求項１４】
係合部は、ピン、ホック、面ファスナー、紐、ボタン、ボタン孔、接着面、磁石、磁性体の少なくともいずれかであることを特徴とする請求項１３に記載の被服用広告表示部材。
【請求項１５】
収納部が設けられ、収納部には第１の布と第２の布とを有する被服の製造方法であって、前記第１の布及び前記第２の布に折り返し片を設けながら略同一の開口を設ける工程と、当該開口の位置を合わせながら、第１の布の折り返し片と第２の布の折り返し片とを内側にして縫い合わせる工程と、第１の布を折り目を下側にしながら２つ折りにした状態で縫い合わせる工程とを有することを特徴とする被服の製造方法。
【請求項１６】
店内において接客を営む従業者に他者の広告が表示された被服又は備品を着用させ、広告宣伝活動を行わしめることを特徴とする広告方法。
【請求項１７】
広告主を募る工程、制服又は備品を製作する工程と、制服又は備品に広告主の広告を表示する工程と、店内において接客を営む従業者に制服又は備品を着用させる工程を有することを特徴とする広告方法。
【請求項１８】
従業員に広告内容を教育する工程を有することを特徴とする請求項１６又は１７に記載の広告方法。
【発明の詳細な説明】
技術分野
本発明は、上着、シャツ、ズボン、エプロン、帽子、手袋その他の被服に関するものであり、特にコンビニエンスストア等の接客を行う業種の者が着用する制服として好ましいものである。また本発明は、広告に関するものである。
背景技術
多くの企業では制服が採用されている。特にコンビニエンスストアやスーパーマーケット、量販電器店、レストラン、ガソリンスタンド等の客と接する機会の多い業種では、店員であることが一見して分かるように、店員に制服を着用せしめている。
そして多くの場合、これらの制服には自社の企業名のロゴや自社の商品名がプリントされている。
ところで企業にとって、自社の製品や事業内容を広告することは誠に重要である。そのため企業は、如何に広く、且つ効率良く宣伝するかという点に知恵を絞る。また行政が国民や市民に周知すべき事項や告知したい事項があり、行政は如何に広く、且つ効率良く宣伝するかという点に知恵を絞る。
そこで本発明は、多くの企業や行政が抱く解決課題に応えるものであり、新規の広告媒体を供給することを目的とする。
発明の開示
そこで本発明者は、企業の制服を広告媒体とすることを思いついた。ここで従来技術の制服には上記した様に自社の企業名のロゴや自社の商品名がプリントされている。しかし従来における被服のロゴ等は、店員であることを識別するための標識に過ぎず、宣伝広告的な機能を果たしていない。
すなわち従来技術の被服では、自社のロゴ等がプリントされているが、そもそも、制服によって自社を宣伝広告しても経済的な価値はない。
たとえばコンビニエンスストアやガソリンスタンドを例に取ると、コンビニエンスストア等の広告目的は、特定の場所にコンビニエンスストア等が存在することを知らしめる点にある。そして広告を見たものが当該コンビニエンスストア等に来店することによって広告の目的は達成される。
これに対して制服はコンビニエンスストア内や、ガソリンスタンドのエリア内で着用されるものであるから、当該制服は、コンビエンスストアの店内やガソリンスタンドのエリア内でしか見ることができない。したがって制服を見る人は、コンビニエンスストアが存在することを既に知っている者であり、この者に重ねてコンビニエンスストアの存在を広告する利益はない。
そこでコンビニエンスストア等で着用する制服に、コンビニエンスストアの店名以外の商品名や広告を表示すれば、制服自体が広告媒体として機能すると考えた。
上記した着想に基づいて開発された被服の発明は、一部に広告取付部が設けられ、当該広告取付部に広告を表示した被服用広告表示部材が着脱可能に取り付けられており、広告取付部には、収納部が着脱可能に取り付けられ、前記収納部には被服用広告表示部材が収納され、前記収納部に収納された被服用広告表示部材が外部から見えることを特徴としている。
また、１つの広告取付部に複数の収納部が取り付けられて、広告取付部の空間を埋めることができるものであってもよい。
さらに、一部に広告取付部が設けられ、当該広告取付部に広告を表示した被服用広告表示部材が着脱可能に取り付けられており、広告取付部には、表面に表示用開口部が設けられた収納部が取り付けられており、当該収納部は被服の表面にあって被服用広告表示部材が収納されていることを特徴としている。
前記収納部の上部には被服用広告表示部材を出し入れすることが可能な出入れ用開口が設けられ、前記出入れ用開口には開閉部材が設けられていてもよい。かかる場合、前記開閉部材を閉じると、収納部に収納されている被服用広告表示部材が外部に出ない。
前記収納部は２重構造であって、第１の空間と第２の空間が設けられ、前記被服用広告表示部材は第１の空間に収納されており、被服の表面に有する前記透明部又は前記表示用開口部は、第１の空間につながっているものでもよい。
また、前記第１の空間と前記第２の空間との間を連通させる連通開口が設けられていてもよい。
前記収納部は、布により形成されるものであり、前記布は開口を有する第１の布と、開口を有する第２の布により構成され、前記開口を合わせて開口周辺を縫製し、前記第１の布の開口と第２の布の開口が重ね合わせた状態で第１の布と第２の布とを縫い合わせて前記表示用開口部を形成し、前記第１の空間は第１の布を折って袋状として形成されるものでもよい。
また、前記第１の布の開口及び前記第２の布の開口には、折り返し片が設けられており、前記第１の布の開口と第２の布は開口とを合わせて前記開口周辺を縫製する際に、前記折り返し片も合わせて縫製されているものでもよい。
被服用広告表示部材は液晶や、有機エレクトロルミネッセンス等のディスプレイによって構成することができる。有機エレクトロルミネッセンスには、フィルム基板タイプ（有機ＥＬフィルム）、ガラス基板タイプ（有機ＥＬガラス）とがある。
本発明のディスプレイでは、表示面の周囲に縫い代が設けられており、縫製によって他の部材に取り付けることができる。そのため本発明のディスプレイは取付けが容易である。
また、受信手段を有し、前記受信手段は別途設けられた発信手段から発信された情報を受信して、前記情報に基づいて所定の画をディスプレイに表示させることもできる。ここで「画」とは静止画及び動画の双方を含む。また文字表示も「画」の一つであり、モノクロ画像でもよく、カラー画像でもよい。
そして別途設けられた発信手段の指令に基づいて所定の画をディスプレイに表示させることができるので、例えば、従業員等が、客等に対して言葉を発さなくても客に対して商品広告等を行うことができる。また、別途スピーカなどを設けて、前記した「画」と合わせるようにして、音声や音を発生させててもよい。
また被服用広告表示部材の発明は、広告が表示されていると共に、被服に対して取付け可能であることを特徴とする。
被服用広告表示部材には被服の一部と係合する係合部が設けられていることが望ましい。
係合部は、ピン、ホック、面ファスナー、紐、ボタン、ボタン孔、接着面、磁石、磁性体等が採用可能である。
また、被服の製造方法は、前記第１の布及び前記第２の布に折り返し片を設けながら略同一の開口を設ける工程と、当該開口の位置を合わせながら、第１の布の折り返し片と第２の布の折り返し片とを内側にして縫い合わせる工程と、第１の布を折り目を下側にしながら２つ折りにした状態で縫い合わせる工程とを有するものでもよい。
さらに広告方法の発明は、店内において接客を営む従業者に他者の広告が表示された被服又は備品を着用させ、広告宣伝活動を行わしめることを特徴とする広告方法である。
もう一つの広告方法の発明は、広告主を募る工程と、制服又は備品を製作する工程と、制服又は備品に広告主の広告を表示する工程と、店内において接客を営む従業者に制服又は備品を着用させる工程を有することを特徴とする広告方法である。
また従業員に広告内容を教育しておくことが望ましい。
発明を実施するための最良の形態
本実施形態の上着１では図１の様に５か所に広告表示部２，３，４，５，６が設けられている。
すなわち本実施形態の上着１では、正面に二つの胸ポケット１０，１１があり、これらの胸ポケット１０，１１に広告表示部２，３が設けられている。
また本実施形態の上着１は、半袖シャツ状であり、袖の部分の上面部分に広告表示部４，５が設けられている。さらに本実施形態の上着１では、後身頃の部位にも広告表示部６が設けられている。
図２には、本発明の実施形態であるエプロン１４が図示されている。エプロン１４の広告表示部９５は、商品やイベント等の紹介が表示されている。広告表示部９５には、着脱可能な収納部３７が取り付けられ、収納部３７中に被服用広告表示部材３４が収納されている。収納部３７の上側には、出し入れ用開口８４が設けられており、出し入れ用開口８４から被服用広告表示部材３４が出し入れされる。出し入れ用開口８４に後述する開閉部材８５を設けてもよい。
被服用広告表示部材３４は、紙や布或いは樹脂板や樹脂シート、樹脂フィルム等に広告を印刷してものや、有機ＥＬフィルムや有機ＥＬガラスなどの表示部分を変化させることのできるものを用いることができる。
したがって、被服用広告表示部材３４が強度のない紙などを用いることができ、安価に被服用広告表示部材３４を製造して広告することが可能である。また、収納部３７が着脱可能であり、洗濯などの際には、収納部３７ごと取り外すことができ、耐水性のない材質や電気部品等を被服用広告表示部材３４を採用することができる。
収納部３７を着脱可能とする方策としては、例えば図３の様に面ファスナーを介する方策が考えられる。すなわち図３，４の様にエプロン１４の一部に面ファスナー１２を取り付けて広告取付部１５を形成する。一方、収納部３７の裏面にも面ファスナー２１を設ける。そして収納部３７の面ファスナー２１を広告取付部１５側の面ファスナー１２と係合させ、収納部３７を広告取付部１５に取り付ける。
また広告内容を変更する場合には、広告取付部１５から収納部３７を引き剥がし、他の被服用広告表示部材が収納された収納部３７を取り付ける。
図３に示した例では、広告取付部１５に設けられた面ファスナー１２は、面状であり、収納部３７の裏面側がべったりと接合される。
しかしこの様な面状の面ファスナー１２を使用すると、収納部３７を取り付ける際に収納部３７に皺が生じやすい。そこで図５に示す様に、面ファスナー１２を枠状に配し、中間部分の面ファスナーを除く構成も推奨される。
また、１カ所の広告取付部１５に複数の収納部３７を取り付けることができる様にして、同時に複数の被服用広告表示部材３４を取り付けることが可能なものも採用することができる。具体的には、図６に示されるように、エプロン１４ａの広告取付部１５には、複数の面ファスナー１２を所定の配置となるように設けられており、１又は複数の面ファスナー１２に収納部３７を取付けることで、種々の配置とすることができる。また、縦横に各二段に面ファスナー１２を配置した場合には、図８に示されるような形状の収納部３７を用いることができる。例えば、図８（ａ）のように面ファスナー１２と略同一の形状の収納部３７ａや、図８（ｂ）のように２カ所の面ファスナー１２を横方向に長く固定できる形状の収納部３７ｃや、図８（ｃ）のように２カ所の面ファスナー１２を縦方向に長く固定できる形状の収納部３７ｅや、図８（ｄ）のように４カ所の面ファスナー１２全てに固定できる形状の収納部３７ｇを用いることができる。
そして、図９に示されるように収納部３７を複数の面ファスナー１２を所定の配置となるように設けることができる。具体的には、図９（ａ）のように収納部３７ａを１つだけ取り付けても良く、図９（ｂ）のように収納部３７ａを２つ横に並べても良く、図９（ｃ）のように収納部３７ｃを１つだけ取り付けても良く、図９（ｄ）のように収納部３７ｃを２つ縦に並べても良く、図９（ｅ）のように収納部３７ｅを１つだけ取り付けても良く、図９（ｆ）のように収納部３７ａを２つ横に並べても良く、図９（ｇ）のように収納部３７ｇを１つだけ全面に取り付けても良い。
また、収納部３７が図８（ｂ）に示されるような横長の収納部３７ｃの様な場合には、図７に示されるように出し入れ用開口８４は横に設けてもよい。
上記した実施形態では、面ファスナー１２，２１を介して収納部３７を広告取付部１５に取り付けたが、面ファスナー１２，２１に代わって粘着性の樹脂を使用してもよい。すなわち上着１の一部に粘着性の樹脂を貼着して広告取付部を形成し、被服用広告表示部材の裏面にも同様に粘着性の樹脂を貼着しておく。そして被服用広告表示部材の粘着性樹脂と広告取付部の粘着性樹脂を接合して被服用広告表示部材を上着の広告取付部に取り付ける。
同様に磁石を活用することも可能である。例えば広告取付部１５と被服用広告表示部材２０のいずれか一方に磁石を取付け、他方に鉄等の磁性体を取り付ける。そして磁力によって収納部３７を広告取付部１５を取り付ける。
また、固定された収納部を用いることができる。
例えば、図１０の様にポケットやポケット状の収納部２２を設ける。ここで収納部２２の正面側にはポリエチレン樹脂、ポリプロピレン樹脂、ナイロン樹脂等のシートであって透明のものが取り付けられて透明部２４を有している。
そして収納部２２の上部に設けられた開口２３から被服用広告表示部材２０を挿入する。
また、図１０に示した収納部２２の透明部２４を開口状として、表示用開口としてもよい。
さらにポケット等のボタンを利用して被服用広告表示部材を広告取付部に取り付けることもできる。
図１１は、被服用広告表示部材に紐状の取付け部材２５を設け、ポケット等のボタン２６に取付け部材２５を係合させた例を示すものである。
また図１２では、被服用広告表示部材２７の上部に特殊な切り込み状係合部３０を設けてポケット等のボタン２６に係合させた例を示す。
すなわち図１２に示す被服用広告表示部材２７では、その上端部近傍にスリット状の係合部３０が設けられている。スリット状の係合部３０は、上端側に開口し、終端部（下部）３１が円形に広がっている。
本実施形態で採用する被服用広告表示部材２７では、係合部３０の開放部分を押し広げてボタン２６を挿入し、終端部３１にボタン２６の根元部分を係合させる。
図１２に示す構成は被服用広告表示部材２７の上端部だけを上着１と係合させるものであるから、被服用広告表示部材２７が捲れて広告が見にくい場合もある。この様な懸念がある場合は、図１３の様にスリット状の係合部３０を上下に設け、上着１側にはボタン２６を縦に２個設け、２個の係合部３０をそれぞれのボタン２６と係合させてもよい。
また図１４に示すように、被服用広告表示部材２７の下端部を面ファスナー２９で固定する構成も考えられる。さらに面ファスナー２９に接着面、磁石、磁性体等が採用可能である。
また図１５では、被服用広告表示部材３２に舌状の係合部３３を設けてポケット等に係合させた例を示す。
すなわち図１５に示す被服用広告表示部材３２は、一枚の厚紙を中央部分から折り返したものであり、その表面側に広告が表示されている。そして図１５に示す被服用広告表示部材３２では、厚紙の背面部分を係合部３３とし、当該係合部３３をポケットに挿入する。また、厚紙に有機ＥＬフィルムや有機ＥＬガラスを取り付けることもできる。
また図１６は、被服用広告表示部材３５をクリップ３６によってポケット等に係合させた例を示す。
なお、図１１〜１６に示された被服用広告表示部材２７，３２，３５を広告部と係合部と別部材として、広告を袋状の部材の中に入れてもよい。
以上説明した被服用広告表示部材は、いずれもそれ自体を取り替えることによって広告内容を変更するものであるが、例えば被服用広告表示部材を液晶パネルやフィルム状ディスプレイ、例えば有機ＥＬフィルムや有機ＥＬガラス等のディスプレイ等の表示装置で構成すれば被服用広告表示部材を取り替えることなく広告内容の変更が可能である。また、別途スピーカなどを設けて、前記した「画」と合わせるようにして、音声や音を発生させててもよい。
またフィルム状ディスプレイ等の表示装置を使用する場合には、表示する広告を任意に変更できるので、広告を選別する手段を設けておくことが望ましい。例えば予め複数の広告をバーコード化しておき、バーコード読み取り機でバーコードを読み、広告を選択する。また商品自体に表示されたバーコードを読むことによって、当該商品の広告が表示される様にすれば便利である。また、バーコードの代わりに、ＩＣチップや半導体、磁気記憶媒体、光記憶媒体などを用いても良い。
上記した被服用広告表示部材を収納部等を介して取り付けるものであったが、直接取り付けた構成でもよい。例えば、ディスプレイ５３を取り付ける方法は、縫製によって行うことができる。例えば有機ＥＬフィルムや有機ＥＬガラス等の様な薄く、かつ可撓性を有する部材を使用し、映像を表示する表示部の周囲に縫い代５５を設ける。そして図３０に示すように、ディスプレイ５３の周端部の縫い代５５を針と糸を使用してＴシャツ等の本体部分に縫い付ける。その結果、ディスプレイ５３を強固に取り付けることができる。ディスプレイ５３をＴシャツ等に直接取り付ける場合においても、補強用の樹脂板等をディスプレイ相当部に配することが望ましい。
また、受信手段を設けて、前記受信手段は別途設けられた発信手段から発信された情報を受信して、前記情報に基づいて所定の画をディスプレイ５３に表示させることもできる。
さらに、図２１に示されるような、収納部２２ａと被服用広告表示部材６０を用いることが出来る。収納部２２ａには、表示用開口６５が設けられており、被服用広告表示部材６０を収納部２２ａの上部に有する出し入れ用開口８４から挿入することができる。被服用広告表示部材６０は、広告表示部６６と、表示制御部６８と、図示しない電源と、当該電源から表示制御部６８に電気を供給することができる電線６７が設けられている。そして、広告表示部６６に所定の広告が表示される。被服用広告表示部材６０は有機ＥＬフィルムや有機ＥＬガラスが用いられ、広告表示部６６の表示を外部からの信号により変更することができる。また、別途スピーカなどを設けて、前記した広告表示部６６の「画」の変化と合わせるようにして、音声や音を発生させててもよい。
また、収納部２２ａの内部は、２重構造となっており、図２２に示されるように、第１の空間６１と第２の空間６２を有している。そして、第１の空間６１に被服用広告表示部材６０が収納されている。被服用広告表示部材６０が収納されると、外部から表示用開口６５を通じて広告表示部６６が見えるようになっている。
収納部２２ａは、縫製により上着１の表面に取り付けられる。収納部２２ａの製造方法は、以下の通りにより行われる。なお、縫製は従来技術の方法を用いることができる。
まず、図２３に示されるように、第１の布７０と第２の布７１を所定の形状に切断する。第２の布７１の形状は、収納部２２ａの全体形状に合わせて切断される。そして、第１の布７０及び第２の布７１にそれぞれ切れ目７５が設けられている。そして、切れ目７５によって四方に折り返すことのでき、折り返すことで開口７２、７３ができる。開口７２と開口７３は略同一の形状である。
そして、図２４に示されるように、前記の、開口７２、７３付近を折り返されることにより、折り返し片７６，７７が設けられる。
また、第１の布７０の下辺部７４を折り返して縫い合わされ、縫い目７４ａが設けられる。
次に、第１の布７０及び第２の布７１とを重ね合わせて縫い合わす。このとき、第１の布７０の開口７２の位置と、第２の布７１の開口７３の位置を合わせる様にして行われる。言い換えると、第１の布７０の開口７２の周囲に有する折り返し片７６と第２の布７１の開口７３の周囲に有する折り返し片７７を合わせる様にして、第１の布の折り返し片７６及び第２の布の折り返し片７７が内側となるようにして行われる。すなわち、図２４（ａ）に示される第１の布７０の表側と、図２４（ｂ）に示される第２の布７１の表側とを合わせられる。
そして、開口７２，７３の周囲を折り返し片７６、７７とともに縫い合わせて縫い目８９が設けられる。この状態を示したのが図２５である。この状態から、第２の布７１の上辺８６を折り返して、第１の布７０の上端を包むようにしながら２カ所で縫い合わせて、縫い合わせ部９０、９１を設け、図２６に示される状態とする。このとき、縫い合わせ部９０，９１は第１の布７０と共に縫い合わされ、第１の布７０と第２の布７１とは固定されている。
さらに、図２７のように、第１の布７０を折り目８１を下側にしながら２つ折りにし、第１の布７０の両側を縫い合わせて縫い合わせ部８８を設けて、側辺を閉鎖し、上部を開口状とした袋状とする。そして、このときに形成される第１の布７０の内部が第１の空間６１となる。
また、図２７に示されるように、縫い合わせ部８８の下側の一部分を縫い合わせず、連通開口８０を設けている。連通開口８０により、第１の空間６１と第２の空間６２が連通することとなり、被服用広告表示部材６０の電線６７を挿通可能としている。
そして、収納部２２ａが上着１の所定の位置となるように収納部２２ａの側辺９３及び下辺９４の縁を折り返しながら縫い合わせて、縫い目９２を設ける。収納部２２ａを表面側から見ると、図２８（ａ）に示す状態となり、裏面側から見ると図２８（ｂ）に示す状態となる。図２２に示されるように、第２の布７１は上着１の表面側に位置する。第２の布７１の上側が出し入れ用開口８４となり、さらに、第１の空間６１の上側が出し入れ用開口８４となる。そして、出し入れ用開口８４から第１の空間６１に被服用広告表示部材６０を出し入れすることができる。
また、第２の空間６２は、被服用広告表示部材６０の電源を入れることができ、また、通常の被服のように、ポケットなどとしても用いることができる。
通常、２重構造のポケット等の場合には、表面に縫い目が縁以外の場所に出るが、本実施形態の収納部２２ａを用いた場合には、縫製部分が縁や表示用開口６５に沿うことになるので、表面の見栄えがよい。また収納部２２ａの製造が、表示用開口６５における折り返し片７６，７７のまつり縫いと、第１の布７０と第２の布７１との縫い合わせによる固定が一度にできるので容易に製造ができる。さらに、縫い目８９により、第１の空間６１に入れられる被服用広告表示部材６０の荷重を支えることができる。
本実施形態の収納部２２ａの製造は、折り返し片７７、７８の縫い合わせた後に、第２の布７１の上側を折り返して、第１の布７０の上端を包むようにしながら縫い合わせて、図２４の状態から図２６に示される状態としたが、先に第２の布７１の上側を折り返して、第１の布７０の上端を包むようにしながら縫い合わせて、その後、折り返し片７７、７８の縫い合わせを行ってもよい。
図２９に示されるように、収納部２２ａの第１の空間６１の上部の出し入れ用開口８４の付近に、面ファスナーなどの開閉部材８５を設けてもよい。具体的には、図２９のように、第１の布７０の上側に延長布８９を設け、延長布８９の位置を第２の布７１の上辺８６に対向する位置にする。そして、第２の布７１の上辺８６及び延長布８９に開閉部材８５が設けられており、開閉部材８５が着脱して出入れ用開口８４が開閉する。そして、前記開閉部材８５を閉じると、第１の空間６１が封鎖されて、収納部２２ａに収納されている被服用広告表示部材６０を保持することができる。さらに、開閉部材８５を閉じても収納部２２ａの上部は解放されており、ポケットとして使用することができる。
したがって、被服用広告表示部材６０を自由に取り外しでき、かつ、広告を行う際には被服用広告表示部材６０の保持が行うことができる。そして、上着１の洗濯する場合に、被服用広告表示部材６０を濡らすことなく洗濯することができる。開閉部材８５は、面ファスナーでなくともよく、ピン、ホック、紐、ボタン、ボタン孔、接着面、磁石、磁性体等が採用可能である。
また、上記した延長布８９を設けずに、第１の布７０を長くしてもよい。さらに、被服用広告表示部材６０の保持することができれば、収納部２２ａの上部全体を封鎖するように開閉部材８５を設けてもよい。
また、収納部２２ａの表示用開口６５に上記した透明な樹脂で覆って、表示用開口６５の代わりに透明部２４としてもよい。
また以上説明した実施形態は、上着に本発明を適用したものであるが、本発明は上着に限らず、他の被服にも応用することができる。
すなわち図１７は、ズボン４０に本発明を適用した例である。本実施形態のズボンでは、正面の太股の部分、ヒップ部分及び側面部分に広告表示部４１が設けられている。
また図１８は、帽子４３に本発明を適用した例である。本実施形態の帽子では、正面部分に広告表示部４４が設けられている。
また図１９は、エプロン４５に本発明を適用した例である。本実施形態のエプロン４５では、正面に広告表示部４６が設けられている。
また図２０は、手袋４７に本発明を適用した例である。本実施形態の手袋４７では、正面に広告表示部４８が設けられている。
次に上記した被服を活用した広告方法について説明する。
本実施形態の広告方法では、上記した広告表示部に他社の商品や事業の広告を掲載する。
例えばコンビニエンスストアであれば、コンビニエンスストアで販売する菓子や化粧品の広告を表示する。またあるいは近日来演する映画やコンサートの紹介を表示する。また近隣の店で行われるイベントやオリジナル商品の紹介、目玉商品の紹介等を行う。さらに国や市町村、非営利団体等が告知したい内容を表示する。
そして制服を着用する従業員には、予め菓子や化粧品、あるいは映画の見どころ等を教育しておく。
するとコンビニエンスストアに来店した客は、制服に表示された商品等の広告を見て購買意欲がかき立てられ、思わず当該商品を買ってしまう。
また映画やコンサートが上演されることを知り、当該映画等のチケットを購入することとなる。
さらに直接購買行動に至らない場合であっても広告に興味を持った客は、制服を着用した従業員に商品の内容や映画の見どころを尋ねる。ここで従業員は、予め商品に対する教育を受けているから、即座に商品紹介を行うことができ、購買に結び付けることができる。
したがって本実施形態の広告方法を採用すると、商品の売上上昇が期待できる。
また通常、制服は、コンビニエンスチェーン等の制服を着用させる企業が制服製造業者から購入したり有償貸与を受けるものである。すなわち通常、制服製造業者等はコンビニエンスチェーン等の制服を着用させる企業から収益を上げる。これに対して新しいビジネスモデルとして、広告主側から金銭を得る方法が考えられる。
すなわちビジネスモデルの実施者は、営業活動やインターネット等によって広告主を募る。そして広告主の要求に応じて広告をデザインする。さらにビジネスモデルの実施者は、デザインに応じた被服用広告表示部材を製作する。
一方、ビジネスモデルの実施者は、制服を着用する企業をインターネット等によって募る。
そしてビジネスモデルの実施者は制服を着用する企業の要求に応じて所定のデザインの制服を製作する。
そしてビジネスモデルの実施者は制服を着用する企業に対して制服と被服用広告表示部材を合わせて供給する。
またビジネスモデルの実施者は制服を着用する者に対して広告主の要求に応じた商品知識を教育する。
そして前記した様にコンビニエンスストア等の従業員は、店内で制服を着用し、宣伝広告活動を行う。
ビジネスモデルの実施者は、広告主から広告収入を得る。制服を着用する企業には制服を無償で提供するか、通常の制服代金よりも廉価で制服を提供する。
そのため広告主は、効率良く広告宣伝活動を行うことができ、コンビニエンスストア等は安価に制服を入手することができる。またコンビニエンスストア内で販売している商品を広告すればコンビニエンスストア等の売上自体も上昇することとなる。
さらにビジネスモデルの実施者は、広告宣伝費を得ることができる。
産業上の利用可能性
以上説明した様に本発明の被服は、広告媒体として活用することができる効果がある。本発明の被服は、テレビ、ラジオや新聞に匹敵する新しいメディアとなるものである。
また本発明の広告方法は、効率よく商品の広告を行うことができ、商品等の売上向上が期待できる。
【図面の簡単な説明】
図１は、本発明の実施形態の上着の表面図及び裏面図である。図２は、エプロンの斜視図である。図３は、エプロンの広告表示部の拡大斜視図である。図４は、エプロンの広告表示部の断面図である。図５は、エプロンの広告表示部の拡大斜視図である。図６は、エプロンの正面図である。図７は収納部の拡大図である。図８は収納部の形状を示した正面図である。図９は収納部の取付状態を示した正面図である。図１０〜１６は、被服の広告表示部の変形例を示す拡大斜視図である。図１７は、本発明の実施形態のズボンの表面図及び裏面図及び側面図である。図１８は、本発明の実施形態の帽子の斜視図である。図１９は、本発明の実施形態のエプロンの斜視図である。図２０は、本発明の実施形態の手袋の斜視図である。図２１は、被服の広告表示部の他の変形例を示す拡大斜視図である。図２２は、被服の広告表示部の他の変形例を示す断面図である。図２３〜図２７は、被服の収納部の製造途中を示す正面図である。図２８は、被服の収納部を示す正面図及び裏面図である。図２９は、被服の広告表示部の他の変形例を示す断面図である。図３０は、被服にディスプレイを取り付ける際の状態を示した斜視図である。
【図１】
2003028496.tif 000003
【図２】
2003028496.tif 000004
【図３】
2003028496.tif 000005
【図４】
2003028496.tif 000006
【図５】
2003028496.tif 000007
【図６】
2003028496.tif 000008
【図７】
2003028496.tif 000009
【図８】
2003028496.tif 000010
【図９】
2003028496.tif 000011
【図１０】
2003028496.tif 000012
【図１１】
2003028496.tif 000013
【図１２】
2003028496.tif 000014
【図１３】
2003028496.tif 000015
【図１４】
2003028496.tif 000016
【図１５】
2003028496.tif 000017
【図１６】
2003028496.tif 000018
【図１７】
2003028496.tif 000019
【図１８】
2003028496.tif 000020
【図１９】
2003028496.tif 000021
【図２０】
2003028496.tif 000022
【図２１】
2003028496.tif 000023
【図２２】
2003028496.tif 000024
【図２３】
2003028496.tif 000025
【図２４】
2003028496.tif 000026
【図２５】
2003028496.tif 000027
【図２６】
2003028496.tif 000028
【図２７】
2003028496.tif 000029
【図２８】
2003028496.tif 000030
【図２９】
2003028496.tif 000031
【図３０】
2003028496.tif 000032
【国際調査報告】
2003028496.tif 000033
2003028496.tif 000034
2003028496.tif 000035
2003028496.tif 000036
2003028496.tif 000037
2003028496.tif 000038